(57)【要約】【課題】断熱性の向上を図ること。【解決手段】下枠１２は、レール部１７が設けられた内方下枠部４０と、パネル２１の室外に臨む表面を支持する外方下枠部５０と、これら内方下枠部４０及び外方下枠部５０の間に位置する中間下枠部６０とを備えたものであり、下枠１２において可動障子３０よりも室外側となる部位には、外方下枠部５０の上端部から室内側に向けて延在することにより外方下枠部５０と可動障子３０との間の隙間を覆う上面部１４２と、上面部１４２の室内側に位置する縁部から下方に延在して中間下枠部６０に支持される脚部１４１とを有したカバー部材１４０が設けられ、中間下枠部６０と内方下枠部４０とは互いに離隔し、かつ相互間に断熱性を有する内方連結材９０が介在されているとともに、中間下枠部６０と外方下枠部５０とは互いに離隔し、かつ相互間に断熱性を有する外方連結材１００が介在されている。【選択図】図３
2019143441.tif 000002
【特許請求の範囲】
【請求項１】
枠体の室外側に固定面材が設けられ、かつ前記枠体の室内側に可動面材が設けられており、
前記固定面材は、下縁部が前記枠体の下枠に支持されたパネルを備え、
前記可動面材は、前記下枠に設けたレール部に沿って前記下枠の長手にスライド可能であり、
前記下枠は、前記レール部が設けられた内方下枠部と、前記パネルの室外に臨む表面を支持する外方下枠部と、これら内方下枠部及び外方下枠部の間に位置する中間下枠部とを備えたものであり、
前記下枠において前記可動面材よりも室外側となる部位には、前記外方下枠部と前記可動面材との間を覆う上面部と、前記上面部から下方に延在して前記中間下枠部に支持される脚部とを有したカバー部材が設けられ、
前記中間下枠部と前記内方下枠部とは互いに離隔し、かつ相互間に断熱性を有する内方連結材が介在されているとともに、前記中間下枠部と前記外方下枠部とは互いに離隔し、かつ相互間に断熱性を有する外方連結材が介在されていることを特徴とする建具。
【請求項２】
前記下枠において室内側に位置する上面には、化粧材が配設されていることを特徴とする請求項１に記載の建具。
【請求項３】
前記化粧材と前記内方連結材との間には、断熱性を有する支持部材が介在され、前記支持部材は、前記中間下枠部と前記内方下枠部との上端部の間を連結するように配設してあり、前記内方連結材は、前記支持部材の下面に密接されていることを特徴とする請求項２に記載の建具。
【請求項４】
前記内方下枠部及び前記中間下枠部には、それぞれ係合受部が設けられ、
前記支持部材には、前記係合受部を介して前記内方下枠部及び前記中間下枠部のそれぞれに係合する係合部が設けられていることを特徴とする請求項３に記載の建具。
【請求項５】
前記支持部材は、前記内方下枠部及び前記中間下枠部の間にわたって配置されるベース部と、前記ベース部の上面において互いに間隔を確保した位置から上方に向けて延在する複数のリブ部とを有し、
前記化粧材は、前記リブ部の上端部を介して前記支持部材に支持されていることを特徴とする請求項３に記載の建具。
【請求項６】
前記ベース部の上面は、室外側が低くなるように構成され、
前記リブ部には、それぞれ排水用切欠が設けられていることを特徴とする請求項５に記載の建具。
【請求項７】
前記カバー部材の脚部には排水用開口が設けられているとともに、前記排水用開口には排水弁が設けられ、さらに、前記脚部から前記外方下枠部までの間には前記排水弁を通過した水を外部に排出するための排水路が設けられていることを特徴とする請求項６に記載の建具。
【請求項８】
前記カバー部材の脚部から前記外方下枠部までの間に構成される空間には、複数箇所に前記パネルの下面を支持するセッティングブロックが配設され、かつ前記セッティングブロックの相互間において前記中間下枠部と前記外方下枠部とに跨がる部位に、断熱性が前記外方連結材の断熱性以上となる挿入材が配設されており、前記排水路は、前記セッティングブロックに見込み方向に沿って切り欠きを貫通することにより構成された排水孔を含むことを特徴とする請求項７に記載の建具。
【請求項９】
枠体の室外側に外方面材が設けられ、かつ前記枠体の室内側に内方面材が設けられており、
前記内方面材は、前記枠体の下枠に設けたレール部に沿って前記下枠の長手にスライド可能であり、
前記下枠は、前記レール部が設けられた内方下枠部と、前記外方面材を支持する外方下枠部と、これら内方下枠部及び外方下枠部の間に位置する中間下枠部とを備えたものであり、前記中間下枠部と前記内方下枠部とは互いに離隔し、かつ相互間に断熱性を有する内方連結材が介在されているとともに、前記中間下枠部と前記外方下枠部とは互いに離隔し、かつ相互間に断熱性を有する外方連結材が介在されていることを特徴とする建具。
【請求項１０】
互いに離隔した状態で並設される２つの枠構成部を備え、これら枠構成部の相互間に断熱性を有する連結材が介在された枠材を製造するための方法であって、
前記２つの枠構成部が互いに並設された状態で相互が連結壁部によって連結され、かつ互いの間に前記連結壁部を底壁として注入溝が設けられた枠素材を成形する工程と、
前記注入溝に断熱性及び発泡性を有する液状の樹脂を前記連結材の原材料として注入する工程と、
断熱性を有する支持部材を前記２つの枠構成部にそれぞれ係合させることにより、前記樹脂の発泡が完了する以前の時点で前記注入溝の開口を塞ぐ工程と、
前記樹脂によって前記連結材が成形された後に前記連結壁部を分断する工程と
を含むことを特徴とする枠材の製造方法。
【発明の詳細な説明】
【技術分野】
【０００１】
本発明は、建具及び枠材の製造方法に関するものである。
【背景技術】
【０００２】
建具には、枠体を構成する枠材として、互いに離隔した状態で並設される室内側の内方枠構成部及び室外側の外方枠構成部を備え、これら２つの枠構成部の間に断熱性を有した連結材を介在させるようにしたものが提供されている。こうした建具によれば、連結材によって内方枠構成部と外方枠構成部との間が断熱されるため、例えば室内の温度に対して室外の温度が低い場合にも、内方枠構成部に結露が生じる事態を防止することが可能となる（例えば、特許文献１参照）。
【先行技術文献】
【特許文献】
【０００３】
【特許文献１】特開２００２−１６１６７１号公報
【発明の概要】
【発明が解決しようとする課題】
【０００４】
ところで、昨今においては意匠性の向上を図るため、枠材において室内側に位置する部分を化粧材によって覆うようにしたものも提供されている。しかしながら、片引き窓や引き違い窓のように、枠体に室外側の面材と室内側の面材とが配設される建具にあっては、化粧材に室外の温度の影響が及ぶおそれがある。
【０００５】
例えば、室外側の面材と室内側の面材とが配設される下枠においては、室内側の面材をスライド可能に支持するレール部までが室内側に配置され、レール部よりも室外側に位置する部分が室外に晒されることになる。このため、この下枠では、室内側のレール部までが内方枠構成部となり、その室外側に連結材が設けられることになる。このため、室内側のレール部から室外側の面材までの間に配設された化粧材には、外方枠構成部に対向して配置される部分が生じることになり、室外に露出する外方枠構成部から温度の影響を受け易くなる。この結果、例えば室内の温度に対して室外の温度が低い場合には、化粧材において外方枠構成部に対向して配置される部分の温度も低下することになり、室内に露出した表面に結露が生じるおそれがある。さらに、化粧材に結露が生じた場合には、その下方に設けられた連結材に結露水が滴下するおそれもあり、連結材に早期の劣化が生じて断熱性に影響を与え得る。
【０００６】
本発明は、上記実情に鑑みて、断熱性の向上を図ることのできる建具及び枠材の製造方法を提供することを目的とする。
【課題を解決するための手段】
【０００７】
上記目的を達成するため、本発明に係る建具は、枠体の室外側に固定面材が設けられ、かつ前記枠体の室内側に可動面材が設けられており、前記固定面材は、下縁部が前記枠体の下枠に支持されたパネルを備え、前記可動面材は、前記下枠に設けたレール部に沿って前記下枠の長手にスライド可能であり、前記下枠は、前記レール部が設けられた内方下枠部と、前記パネルの室外に臨む表面を支持する外方下枠部と、これら内方下枠部及び外方下枠部の間に位置する中間下枠部とを備えたものであり、前記下枠において前記可動面材よりも室外側となる部位には、前記外方下枠部と前記可動面材との間を覆う上面部と、前記上面部から下方に延在して前記中間下枠部に支持される脚部とを有したカバー部材が設けられ、前記中間下枠部と前記内方下枠部とは互いに離隔し、かつ相互間に断熱性を有する内方連結材が介在されているとともに、前記中間下枠部と前記外方下枠部とは互いに離隔し、かつ相互間に断熱性を有する外方連結材が介在されていることを特徴とする。
【０００８】
この発明によれば、下枠が互いに離隔した内方下枠部、外方下枠部及び中間下枠部を有し、かつ中間下枠部と内方下枠部との間及び中間下枠部と外方下枠部との間にそれぞれ断熱性を有した連結材を介在させるようにしている。従って、レール部から室外側の固定面材までの間を化粧材によって覆った場合にも、室内側に配置される中間下枠部を化粧材に対向させることができ、化粧材に結露が生じる事態を招来するおそれがない。
【０００９】
また本発明は、上述した建具において、前記下枠において室内側に位置する上面には、化粧材が配設されていることを特徴とする。
【００１０】
この発明によれば、下枠において室内側に位置する上面が化粧材によって覆われるため、外観品質の向上を図ることが可能となる。
【００１１】
また本発明は、上述した建具において、前記化粧材と前記内方連結材との間には、断熱性を有する支持部材が介在され、前記支持部材は、前記中間下枠部と前記内方下枠部との上端部の間を連結するように配設してあり、前記内方連結材は、前記支持部材の下面に密接されていることを特徴とする。
【００１２】
この発明によれば、化粧材と内方連結材との間には、中間下枠部と前記内方下枠部との上端部の間を連結するように支持部材が介在され、かつこの支持部材の下面に密接するように内方連結材が設けられているため、可動面材の室外に臨む表面に付着した雨水等の水が下枠に滴下した場合にも、この水が内方連結材に付着する事態を防止することができ、連結材が早期に劣化する事態を招来するおそれがない。
【００１３】
また本発明は、上述した建具において、前記内方下枠部及び前記中間下枠部には、それぞれ係合受部が設けられ、前記支持部材には、前記係合受部を介して前記内方下枠部及び前記中間下枠部のそれぞれに係合する係合部が設けられていることを特徴とする。
【００１４】
この発明によれば、係合部を係合受部に係合させることにより、内方下枠部及び中間下枠部に対して支持部材を確実に連結させることができる。
【００１５】
また本発明は、上述した建具において、前記支持部材は、前記内方下枠部及び前記中間下枠部の間にわたって配置されるベース部と、前記ベース部の上面において互いに間隔を確保した位置から上方に向けて延在する複数のリブ部とを有し、前記化粧材は、前記リブ部の上端部を介して前記支持部材に支持されていることを特徴とする。
【００１６】
この発明によれば、支持部材において化粧材に接触する部分がリブ部の上端部に限られるため、支持部材と化粧材との間に水が浸入した場合にも化粧材の下面全面が濡れる事態を防止することができ、水の付着による化粧材の劣化を防止することができる。
【００１７】
また本発明は、上述した建具において、前記ベース部の上面は、室外側が低くなるように構成され、前記リブ部には、それぞれ排水用切欠が設けられていることを特徴とする。
【００１８】
この発明によれば、リブ部に設けた排水用切欠により、支持部材と化粧材との間に浸入した水を効率良く排出することができ、水の付着による化粧材の劣化をより確実に防止することができる。ベース部の上面としては、単に傾斜していても良いし、傾斜面を階段状に構成してもよい。
【００１９】
また本発明は、上述した建具において、前記カバー部材の脚部には排水用開口が設けられているとともに、前記排水用開口には排水弁が設けられ、さらに、前記脚部から前記外方下枠部までの間には前記排水弁を通過した水を外部に排出するための排水路が設けられていることを特徴とする。
【００２０】
この発明によれば、カバー部材の脚部よりも室内側となる部分に浸入した水は、排水用開口及び排水路を介して外部に排出されるため、水が滞留することに起因した不具合を防止することができる。しかも、排水用開口に排水弁を配設しているため、排水用開口を通じて脚部よりも室内側に水が浸入することもない。
【００２１】
また本発明は、上述した建具において、前記カバー部材の脚部から前記外方下枠部までの間に構成される空間には、複数箇所に前記パネルの下面を支持するセッティングブロックが配設され、かつ前記セッティングブロックの相互間において前記中間下枠部と前記外方下枠部とに跨がる部位に、断熱性が前記外方連結材の断熱性以上となる挿入材が配設されており、前記排水路は、前記セッティングブロックに見込み方向に沿って切り欠きを貫通することにより構成された排水孔を含むことを特徴とする。
【００２２】
この発明によれば、カバー部材の脚部から外方下枠部までの間の空間に挿入材を配設しているため、当該空間での滞留を抑制することができ、断熱性の点で有利となる。しかも、挿入材としては断熱性が外方連結材の断熱性以上となる断熱材を適用しているため、挿入材が外方下枠部と中間下枠部との間の熱橋となることがない。さらに、挿入材を分断するように排水路を有した複数のセッティングブロックが配設されるため、排水弁を通過した水が空間の内部に滞留する事態を招来することがない。
【００２３】
また本発明に係る建具は、枠体の室外側に外方面材が設けられ、かつ前記枠体の室内側に内方面材が設けられており、前記内方面材は、前記枠体の下枠に設けたレール部に沿って前記下枠の長手にスライド可能であり、前記下枠は、前記レール部が設けられた内方下枠部と、前記外方面材を支持する外方下枠部と、これら内方下枠部及び外方下枠部の間に位置する中間下枠部とを備えたものであり、前記中間下枠部と前記内方下枠部とは互いに離隔し、かつ相互間に断熱性を有する内方連結材が介在されているとともに、前記中間下枠部と前記外方下枠部とは互いに離隔し、かつ相互間に断熱性を有する外方連結材が介在されていることを特徴とする。
【００２４】
この発明によれば、下枠が互いに離隔した内方下枠部、外方下枠部及び中間下枠部を有し、かつ中間下枠部と内方下枠部との間及び中間下枠部と外方下枠部との間にそれぞれ断熱性を有した連結材を介在させるようにしている。従って、レール部から外方面材までの間を化粧材によって覆った場合にも、室内側に配置される中間下枠部を化粧材に対向させることができ、化粧材に結露が生じる事態を招来するおそれがない。
【００２５】
また本発明に係る枠材の製造方法は、互いに離隔した状態で並設される２つの枠構成部を備え、これら枠構成部の相互間に断熱性を有する連結材が介在された枠材を製造するための方法であって、前記２つの枠構成部が互いに並設された状態で相互が連結壁部によって連結され、かつ互いの間に前記連結壁部を底壁として注入溝が設けられた枠素材を成形する工程と、前記注入溝に断熱性及び発泡性を有する液状の樹脂を前記連結材の原材料として注入する工程と、断熱性を有する支持部材を前記２つの枠構成部にそれぞれ係合させることにより、前記樹脂の発泡が完了する以前の時点で前記注入溝の開口を塞ぐ工程と、前記樹脂によって前記連結材が成形された後に前記連結壁部を分断する工程とを含むことを特徴とする。
【００２６】
この発明によれば、発泡性を有した樹脂の発泡が完了する以前の時点で支持部材によって注入溝の開口を塞ぐようにしているため、煩雑な加工を要することなく連結材を支持部材に密接させることが可能となり、互いの間に水が浸入する事態を容易に防止することができる。
【発明の効果】
【００２７】
本発明によれば、下枠が互いに離隔した内方下枠部、外方下枠部及び中間下枠部を有し、かつ中間下枠部と内方下枠部との間及び中間下枠部と外方下枠部との間にそれぞれ断熱性を有した連結材を介在させるようにしている。従って、レール部から室外側の固定面材までの間を化粧材によって覆った場合にも、化粧材に対して室内側に配置される中間下枠部を対向させることができ、化粧材に結露が生じる事態を招来するおそれがない。
【００２８】
また、本発明によれば、発泡性を有した樹脂の発泡が完了する以前の時点で支持部材によって注入溝の開口を塞ぐようにしているため、煩雑な加工を要することなく連結材を支持部材に密接させることが可能となり、互いの間に水が浸入する事態を容易に防止することができる。従って、雨水等の水が下枠に滴下した場合にも、この水が連結材に付着する事態を防止することができ、連結材が早期に劣化する事態を招来するおそれがない。
【図面の簡単な説明】
【００２９】
【図１】本発明の実施の形態である建具を室内側から見た斜視図である。
【図２】図１に示した建具を可動面材側で破断した縦断面図である。
【図３】図１に示した建具を固定面材側で破断した縦断面図である。
【図４】図１に示した建具の横断面図である。
【図５】図１に示した建具の下枠を室外側から見た要部斜視図である。
【図６】図１に示した建具の下枠を室内側から見た要部斜視図である。
【図７】図１に示した建具の下枠を構成する要素を分解して示す図である。
【図８】図１に示した建具の下枠を構成する際に適用する枠素材の縦断面図である。
【図９】図１に示した建具の枠材を製造する手順を示したもので、（ａ）は枠素材の注入溝に液状の発泡ポリウレタンを注入した状態の要部縦断面図、（ｂ）は注入溝に注入した発泡ポリウレタンの発泡ウレタンが完了する以前の時点で支持部材によって注入溝の開口を塞いだ状態の要部縦断面図、（ｃ）は発泡ウレタンが硬化した後、連結壁部を切除した状態の要部縦断面図である。
【発明を実施するための形態】
【００３０】
以下、添付図面を参照しながら本発明に係る建具及び枠材の製造方法の好適な実施の形態について詳細に説明する。
図１〜図６は、本発明の実施の形態である建具を示したものである。ここで例示する建具は、枠体１０に固定障子（固定面材）２０及び可動障子（可動面材）３０を配設することによって構成した片引き窓と称されるものである。枠体１０は、上枠１１、下枠１２及び左右の縦枠１３，１４を四周枠組みするとともに、上枠１１及び下枠１２の間に上下方向に沿って方立枠１５を配設することによって構成したものである。本実施の形態では特に、枠体１０を構成する枠材のうち、上枠１１、左右の縦枠１３，１４及び方立枠１５としては、木材や木質材等の木製のものを適用している。下枠１２については、アルミニウム合金と樹脂との複合材となっており、さらに室内側に配置される部分の上面を化粧材によって覆っている。
【００３１】
固定障子２０は、枠体１０において上枠１１、下枠１２、一方の縦枠１３及び方立枠１５によって囲まれる部位に固定障子用パネル２１を配設することによって構成したものである。本実施の形態では、室内側から見た場合に枠体１０の左側で見込み方向において室外側となる部位に固定障子（外方面材）２０が設けてある。固定障子用パネル２１としては、透光性を有した３枚の板ガラスを積層して構成した複層ガラスを適用している。しかしながら、固定障子用パネル２１としては、必ずしも透光性を有したガラスを適用する必要はなく、樹脂材から成る透光性のパネルや透光性を有していないパネルを適用しても構わない。
【００３２】
ここで、見込み方向とは、図中の矢印Ａで示すように、建具の奥行きに沿った方向である。また、本実施の形態では見付け方向という用語も用いる。見付け方向とは、上枠１１や下枠１２等のように水平方向に沿って延在するものの場合、見込み方向に直交した上下に沿う方向である。縦枠１３，１４や方立枠１５等のように上下方向に沿って延在するものの場合には、見込み方向に直交した水平に沿う方向を見付け方向という。
【００３３】
可動障子３０は、矩形状を成す可動障子用パネル３１の四周に上框３２、下框３３及び左右の縦框３４を装着することによって構成したもので、枠体１０の見込み方向において室内側となる部位に設けてある（内方面材）。可動障子３０を構成するそれぞれの框材３２，３３，３４としては、枠体１０の上枠１１等と同様、木製のものを適用している。可動障子用パネル３１としても、固定障子２０と同様、透光性を有した３枚の板ガラスを積層して構成した複層ガラスを適用している。図からも明らかなように、上枠１１において可動障子３０の上框３２に対向する部位には、上枠１１の長手に沿って上方レール部１６が設けてあり、下枠１２において可動障子３０の下框３３に対応する部分には、下枠１２の長手に沿って下方レール部１７が設けてある。可動障子３０は、これら上方レール部１６及び下方レール部１７をガイドとして上枠１１及び下枠１２の長手に沿ってスライド可能である。この建具では、室内側から見た場合に、枠体１０において上枠１１、下枠１２、他方の縦枠１４及び方立枠１５によって囲まれる右側の枠開口１８が、可動障子３０のスライドによって開閉可能となる。なお、図中の符号１９は、下方レール部１７をガイドとして転動する戸車である。図には明示していないが、この戸車１９は、可動障子３０の下框３３に取り付けられたものである。また、可動障子用パネル３１としても、透光性を有したガラスを適用する必要はなく、樹脂材から成る透光性のパネルや透光性を有していないパネルを適用しても構わない。
【００３４】
以下、主に下枠１２の詳細構成について説明し、併せて本願発明の特徴部分について詳述する。なお、以下においては便宜上、建物に取り付けた状態の姿勢でそれぞれの構成を説明することとする。
【００３５】
図２、図３、図７に示すように、下枠１２は、見込み方向に並設される内方下枠部４０、外方下枠部５０及び中間下枠部６０を有している。内方下枠部４０、外方下枠部５０及び中間下枠部６０は、アルミニウム合金によって成形した押し出し形材であり、それぞれが長手の全長にわたってほぼ一様の断面形状を有するように構成してある。内方下枠部４０は室内側に配置される部分であり、外方下枠部５０は室外側に配置される部分である。中間下枠部６０は、これら内方下枠部４０と外方下枠部５０との間に配置される部分であり、内方下枠部４０に対して離隔し、かつ外方下枠部５０に対しても離隔している。
【００３６】
内方下枠部４０は、上下方向に延在される枠基板部４１の上端部に、上述した下方レール部１７が一体に構成されたものである。枠基板部４１の下端部には、下方爪ヒレ部４２及び下方外係合ヒレ部４３が設けてあり、枠基板部４１の中間部には、上方爪ヒレ部４４及び上方外係合ヒレ部４５が設けてある。下方爪ヒレ部４２及び上方爪ヒレ部４４は、それぞれ枠基板部４１から室内側に向けてほぼ水平に延在したもので、個々の延在縁部に係合爪４２ａ，４４ａが設けてある。係合爪４２ａ，４４ａは、下方爪ヒレ部４２及び上方爪ヒレ部４４から互いに近接する方向に向けて屈曲したものである。下方外係合ヒレ部４３及び上方外係合ヒレ部４５は、それぞれ枠基板部４１から室外側に向けてほぼ水平に延在したものである。下方外係合ヒレ部４３の延在縁部には、上方に向けて突出した下外係合突条４３ａが設けてある。上方外係合ヒレ部４５は、延在縁部が一旦下方に湾曲した後に、室外側に向けてほぼ水平となるように延在しており、その延在縁部に内方係合受部４５ａを有している。内方係合受部４５ａは、上方外係合ヒレ部４５の延在縁部から下方に向けて突出した部分である。
【００３７】
内方下枠部４０には、枠基板部４１よりも室内側となる部位に支持台部７０が取り付けてある。支持台部７０は、断熱性を有する樹脂、例えばポリ塩化ビニル（ＰＶＣ）によって成形した中空の角筒状を成すものである。この支持台部７０は、内方下枠部４０の下方爪ヒレ部４２及び上方爪ヒレ部４４の間に装着してあり、それぞれの係合爪４２ａ，４４ａによって内方下枠部４０に脱落することなく保持されている。支持台部７０の上面には、係着溝７１が設けてある。係着溝７１は、支持台部７０の長手に沿って形成した凹溝である。係着溝７１の開口縁部となる部位には、互いに近接する方向に向けて台部突条７２が設けてある。
【００３８】
外方下枠部５０は、中空状を成す基底筒部５１と、基底筒部５１の室外側に位置する上面部分から上方に向けて延在するパネル保持ヒレ部５２とが一体に設けられたものである。基底筒部５１は、見込み方向に沿った寸法に対して上下に沿った寸法が短い略角筒状を成すもので、室内に臨む内方端面の上下両縁部にそれぞれ内方係合ヒレ部５３，５４を有している。内方係合ヒレ部５３，５４は、室内側に向けて互いにほぼ平行となるように水平に延在したものである。内方係合ヒレ部５３，５４の延在縁部には、互いに対向する部位に内方係合突条５３ａ，５４ａが設けてある。パネル保持ヒレ部５２には、上端部にタイト材装着溝５５、カバー支持ヒレ部５６及び水切りヒレ部５７が設けられている。タイト材装着溝５５は、室内側に向けて開口するもので、ほぼ水平方向に沿って延在している。このタイト材装着溝５５には、固定障子用パネル２１に対応する部位に、パネル保持ヒレ部５２と固定障子用パネル２１の室外に臨む表面との間をシールするための外方タイト材５９が装着されている。カバー支持ヒレ部５６は、パネル保持ヒレ部５２の室内に臨む表面においてタイト材装着溝５５よりも下方となる部位から室内側に向けてほぼ水平に突出したものである。水切りヒレ部５７は、パネル保持ヒレ部５２の上縁から室外側に向けて漸次低くなるように傾斜延在した後、ほぼ鉛直下方に向けて屈曲した部分である。
【００３９】
中間下枠部６０は、中空状を成す本体部６１と、本体部６１の室外に臨む外方端面から突出する上下２つの外方係合ヒレ部６２，６３と、本体部６１の室内に臨む部位から突出する下方内係合ヒレ部６４及び上方内係合ヒレ部６５とが一体に設けられたものである。本体部６１の上下に沿った寸法は、基底筒部５１の上下に沿った寸法とほぼ等しくなるように構成してある。外方係合ヒレ部６２，６３は、室外側に向けて互いにほぼ平行となるように延在したものである。外方係合ヒレ部６２，６３の延在縁部には、互いに対向する部位に外方係合突条６２ａ，６３ａが設けてある。図からも明らかなように、外方係合ヒレ部６２，６３の相互間隔は、外方下枠部５０に設けた内方係合ヒレ部５３，５４の相互間隔とほぼ等しくなるように形成してある。下方内係合ヒレ部６４は、本体部６１の室内に臨む部位の下縁部から室内に向けてほぼ水平となるように延在したものである。下方内係合ヒレ部６４の延在縁部には、上方に向けて突出した下内係合突条６４ａが設けてある。上方内係合ヒレ部６５は、本体部６１の室内に臨む部位の上縁部から上方に向けて延在したものである。上方内係合ヒレ部６５には、上内係合ヒレ部６６及び上下２つの係止ヒレ部６７が設けてある。上内係合ヒレ部６６は、上方内係合ヒレ部６５の上縁部から室内側に向けて延在したものである。上内係合ヒレ部６６の延在縁部には、下方に向けて突出した上内係合突条６６ａが設けてある。上内係合ヒレ部６６から下方内係合ヒレ部６４までの距離は、外方下枠部５０において上方外係合ヒレ部４５から下方外係合ヒレ部４３までの距離よりも短く構成してある。係止ヒレ部６７は、上方内係合ヒレ部６５の室外に臨む表面から室外に向けて互いにほぼ平行となるように延在したもので、互いの間に溝状の外方係合受部６８を構成している。
【００４０】
上記のように構成した内方下枠部４０と中間下枠部６０との間には支持部材８０及び内方連結材９０が介在し、かつ外方下枠部５０と中間下枠部６０との間には外方連結材１００が介在している。支持部材８０、内方連結材９０及び外方連結材１００は、それぞれが断熱性を有する樹脂によって成形したもので、内方下枠部４０と中間下枠部６０との間、及び外方下枠部５０と中間下枠部６０との間の断熱性を確保した状態で相互間を連結している。
【００４１】
支持部材８０は、内方下枠部４０と中間下枠部６０との間にわたって配置されるベース部８１と、ベース部８１の上面８１ａに設けた複数のリブ部８２とを一体に成形したものである。本実施の形態では、ポリ塩化ビニル（ＰＶＣ）によって支持部材８０を形成するようにしている。
【００４２】
ベース部８１は、室外側に位置する部分に外方係合部８３を有し、かつ室内側に位置する部分に内方係合部８４を有したものである。外方係合部８３は、ベース部８１の下面８１ｂから下方に延在した後、室内側に向けて屈曲したものである。内方係合部８４は、ベース部８１の上面８１ａから上方に向けて突出した部分である。このベース部８１は、外方係合部８３の屈曲した部分を中間下枠部６０の外方係合受部６８に係合させるとともに、内方係合部８４を内方下枠部４０の内方係合受部４５ａに係合させることにより、中間下枠部６０と内方下枠部４０との間の隙間を覆うように配置してある。図からも明らかなように、ベース部８１の下面８１ｂは、室外側に向けて段階的に低くなるように階段状を成し、かつ個々の下面が室外側に向けて漸次低くなるように傾斜している。
【００４３】
リブ部８２は、ベース部８１の上面８１ａからそれぞれ互いに平行となるように上方に向けて延在した板状を成すものである。本実施の形態では、ベース部８１の室外側に位置する縁部から室内側に向けてほぼ等間隔となるように３つのリブ部８２が設けてある。３つのリブ部８２の上端は、互いにほぼ同一の高さとなるように設定してある。図５及び図６に示すように、それぞれのリブ部８２には、排水用切欠８２ａ及びリブ突条８２ｂが設けてある。排水用切欠８２ａは、ベース部８１の上面８１ａに滴下したり、貯留した水を順次室外側に排出するための開口であり、それぞれのリブ部８２の上端からベース部８１の上面８１ａまでの間において互いに対向する部位に形成してある。図には明示していないが、それぞれのリブ部８２には長手に沿った複数位置に排水用切欠８２ａが設けてある。リブ突条８２ｂは、リブ部８２の上面部に設けた突出部分である。室外側に配置されたリブ部８２及び中間のリブ部８２には、室内側に突出するようにリブ突条８２ｂが設けてあり、室内側のリブ部８２には、室外側に突出するようにリブ突条８２ｂが設けてある。
【００４４】
内方連結材９０は、室内側の端部が内方下枠部４０の上方外係合ヒレ部４５と下方外係合ヒレ部４３との間に配置され、室外側の端部が中間下枠部６０の上内係合ヒレ部６６と下方内係合ヒレ部６４との間に配置されたものである。上方外係合ヒレ部４５と下方外係合ヒレ部４３との間においては、上方外係合ヒレ部４５の段部及び下外係合突条４３ａによって内方連結材９０の端部が挟持され、上内係合ヒレ部６６と下方内係合ヒレ部６４との間においては、上内係合突条６６ａ及び下内係合突条６４ａによって内方連結材９０の端部が挟持されている。つまり、内方下枠部４０と中間下枠部６０との間は、直接の接触はないが、内方連結材９０を介して相互に連結された状態にある。図からも明らかなように、内方連結材９０の上面９０ａは、ベース部８１の下面８１ｂに密接しており、ベース部８１の下面８１ｂに倣った形状となっている。つまり、ベース部８１の下面８１ｂは、室外側に向けて段階的に低くなるように階段状を成し、かつ個々の下面が室外側に向けて漸次低くなるように傾斜している。内方連結材９０の下面９０ｂは、内方下枠部４０の下面及び中間下枠部６０の下面よりも上方において平坦となっている。
【００４５】
外方連結材１００は、室内側の端部が中間下枠部６０の外方係合ヒレ部６２，６３の相互間に配置され、かつ室外側の端部が外方下枠部５０の内方係合ヒレ部５３，５４の相互間に配置されたもので、ほぼ一様の板厚を有するように構成してある。外方係合ヒレ部６２，６３の相互間においては、外方係合突条６２ａ，６３ａによって外方連結材１００の端部が挟持され、内方係合ヒレ部５３，５４の相互間においては、内方係合突条５３ａ，５４ａによって外方連結材１００の端部が挟持されている。つまり、中間下枠部６０と外方下枠部５０との間は、直接の接触はないが、外方連結材１００を介して相互に連結された状態にある。図からも明らかなように、外方連結材１００の上面１００ａは、基底筒部５１の上面５１ａ及び本体部６１の上面６１ａとほぼ一致している。外方連結材１００の下面１００ｂは、基底筒部５１の下面５１ｂ及び本体部６１の下面６１ｂよりも上方において平坦となっている。
【００４６】
内方連結材９０及び外方連結材１００としては、それぞれ断熱性が支持部材８０の断熱性以下で、発泡性を有した樹脂、例えば発泡ポリウレタンを適用している。本実施の形態では、内方下枠部４０と中間下枠部６０との間及び中間下枠部６０と外方下枠部５０との間にそれぞれ液状の発泡ポリウレタンを注入し、これらを発泡・硬化させることによって内方連結材９０及び外方連結材１００を成形するようにしている。
【００４７】
図８は、支持部材８０、内方連結材９０及び外方連結材１００を介して連結される内方下枠部４０、中間下枠部６０及び外方下枠部５０を構成する際に適用する枠素材１を示したものである。枠素材１とは、アルミニウム合金によって成形した直後の押し出し形材に相当するものである。図示の例では、内方下枠部４０の下方外係合ヒレ部４３と中間下枠部６０の下方内係合ヒレ部６４との間が内方連結壁部２によって連結した枠素材１を適用している。同様に、この枠素材１では、中間下枠部６０の下方に位置する外方係合ヒレ部６３と外方下枠部５０の下方に位置する内方係合ヒレ部５４との間を外方連結壁部３によって連結してある。図からも明らかなように、枠素材１の段階では、内方下枠部４０と中間下枠部６０との間に内方連結壁部２を底壁として上方に開口する内方注入溝４が設けられ、中間下枠部６０と外方下枠部５０との間に外方連結壁部３を底壁として上方に開口する外方注入溝５が設けられている。
【００４８】
上述の枠素材１に対しては、内方注入溝４及び外方注入溝５に内方連結材９０及び外方連結材１００の原材料としてそれぞれ液状の発泡ポリウレタンを注入する。その後、発泡することで発泡ポリウレタンが内方注入溝４及び外方注入溝５に充填されることになり、硬化した段階で所望形状の内方連結材９０及び外方連結材１００を得ることができる。発泡ポリウレタンが硬化した後においては、内方連結壁部２及び外方連結壁部３をそれぞれ切除すれば、中間下枠部６０と内方下枠部４０とが分断されるとともに、中間下枠部６０と外方下枠部５０とが分断された状態となる。つまり、中間下枠部６０と内方下枠部４０とが離隔した状態で並設し、かつ相互間に内方連結材９０が介在されているとともに、中間下枠部６０と外方下枠部５０とが離隔した状態で並設し、かつ相互間に外方連結材１００が介在されたものを得ることができる。
【００４９】
ここで、本実施の形態では特に、図９に示す手順に従って、内方注入溝４において内方連結材９０を成形するようにしている。すなわち、図９の（ａ）に示すように、内方注入溝４に液状の発泡ポリウレタン６を所望量だけ注入した後、図９の（ｂ）に示すように、注入した発泡ポリウレタン６の発泡が完了する以前の時点で内方下枠部４０と中間下枠部６０との間に支持部材８０を配置するようにしている。この状態においては、支持部材８０によって内方注入溝４の開口が塞がれた状態となる。これにより、内方注入溝４に注入された発泡ポリウレタン６が発泡することにより、内方注入溝４と支持部材８０とによって囲まれる空間に隙間無く充填されることになる。従って、上述の方法によれば、支持部材８０のベース部８１に沿った形状を有する内方連結材９０を、容易、かつ正確に成形することが可能となる。その後においては、図９の（ｃ）に示すように、内方連結壁部２を切除すれば良い。
【００５０】
上記のように内方連結材９０及び外方連結材１００によって連結した内方下枠部４０、中間下枠部６０及び外方下枠部５０に対しては、室内側に配置される部分の上面を化粧材１１０によって覆うようにしている。より具体的に説明すると、室内側から見た場合に方立枠１５を境として右側となる部分（以下、単に右側部分という）では、図２に示すように、可動障子３０の室外に臨む表面よりも室内側となる部位の上面に化粧材１１０を配設している。方立枠１５を境として左側となる部分（以下、単に左側部分という）では、図３に示すように、固定障子用パネル２１よりも室内側となる部位の上面に化粧材１１０を配設している。
【００５１】
これらの化粧材１１０は、内方下枠部４０の下方レール部１７を避けて配設してある。すなわち、下方レール部１７よりも室内側となる部分については、下枠１２の全長にわたって同一の断面形状を有した一連の内方化粧材１１０Ａを配設するようにしている。下方レール部１７よりも室外側となる部分については、見込み方向の寸法が異なるため、右側部分と左側部分とで異なる形状の化粧材１１０Ｂ，１１０Ｃを配設するようにしている。本実施の形態では、化粧材として木材や木質材等の木製のものを適用している。しかしながら、化粧材としては、必ずしもこれに限らず、木材とプラスチックとの複合材料（例えばＷＰＣ（Ｗｏｏｄ  Ｐｌａｓｔｉｃｓ  Ｃｏｍｂｉｎａｔｉｏｎ）、再生木、木粉入り樹脂）やＭＤＦ（ｍｅｄｉｕｍ  ｄｅｎｓｉｔｙ  ｆｉｂｅｒｂｏａｒｄ）、メラミン化粧板等々、その他のものを適用しても良い。特に、本実施の形態の場合には、後述する理由により、水に弱い材質を含むものであっても構わない。
【００５２】
内方化粧材１１０Ａは、図３及び図２に示すように、平坦な下面１１０ａに係着具１１１を備えたものである。この内方化粧材１１０Ａは、下面１１０ａを支持台部７０の上面７０ａに当接させ、係着具１１１を係着溝７１の台部突条７２に係合させることにより、支持台部７０に対して着脱可能に支持させてある。内方化粧材１１０Ａの室外側に位置する部分は、支持台部７０を超えて下方レール部１７に近接するように室外側に突出しており、その下面１１０ａが内方下枠部４０に設けた上方爪ヒレ部４４に支持されている。
【００５３】
右側部分において下方レール部１７よりも室外側となる部位に配設した化粧材（以下、単に右外方化粧材１１０Ｂという）は、図２及び図７に示すように、内方化粧材１１０Ａと同様、平坦な下面１１０ａに係着具１１１を備えたものである。この右外方化粧材１１０Ｂは、下面１１０ａを支持部材８０に設けたリブ部８２の上端面に当接させ、係着具１１１を室内側のリブ部８２と中間のリブ部８２との間においてそれぞれのリブ突条８２ｂに係合させることにより、支持部材８０に対して着脱可能に支持させてある。右外方化粧材１１０Ｂの見込み方向に沿った寸法は、内方下枠部４０の下方レール部１７から支持部材８０のもっとも室外側に位置するリブ部８２までの距離とほぼ等しくなるように構成してある。これにより、右外方化粧材１１０Ｂの室外に臨む端面１１０ｂは、支持部材８０の室外に臨む端面８０ａとほぼ同一の平面上に位置している。右外方化粧材１１０Ｂの室内側に位置する部分は、下方レール部１７にほぼ接触する位置に達しており、その下面１１０ａが内方下枠部４０に設けた上方外係合ヒレ部４５に支持されている。なお、右外方化粧材１１０Ｂの上部には、凹凸状の意匠が構成してある。
【００５４】
左側部分において下方レール部１７よりも室外側となる部位に配設した化粧材（以下、単に左外方化粧材１１０Ｃという）は、図３及び図７に示すように、右外方化粧材１１０Ｂと同様、平坦な下面に係着具１１１を備えたものである。この左外方化粧材１１０Ｃは、下面１１０ａを支持部材８０に設けたリブ部８２の上端面に当接させ、係着具１１１を室内側のリブ部８２と中間のリブ部８２との間においてそれぞれのリブ突条８２ｂに係合させることにより、支持部材８０に対して着脱可能に支持させてある。左外方化粧材１１０Ｃの見込み方向に沿った寸法は、内方下枠部４０の下方レール部１７から外方連結材１００の中間部までの距離とほぼ等しくなるように構成してある。左外方化粧材１１０Ｃの室内側に位置する部分は、下方レール部１７にほぼ接触する位置に達しており、その下面１１０ａが内方下枠部４０に設けた上方外係合ヒレ部４５に支持されている。左外方化粧材１１０Ｃの室外側に位置する部分は、外方下枠部５０のパネル保持ヒレ部５２との間に固定障子用パネル２１を装着することのできる寸法を確保した位置にあり、その下面１１０ａが後述するセッティングブロック１２０を介して外方下枠部５０及び中間下枠部６０に支持されている。図からも明らかなうように、左外方化粧材１１０Ｃと固定障子用パネル２１の室内に臨む表面との間には、左外方化粧材１１０Ｃに装着した内方タイト材１１２が介在している。なお、左外方化粧材１１０Ｃの上部にも凹凸状の意匠が構成してある。
【００５５】
また、外方連結材１００によって連結した中間下枠部６０及び外方下枠部５０に対しては、図２、図３、図５〜図７に示すように、パネル保持ヒレ部５２と支持部材８０との間に位置する部位にセッティングブロック１２０及び挿入材１３０が配設してあり、さらに右側部分にのみカバー部材１４０が配設してある。
【００５６】
セッティングブロック１２０は、固定障子用パネル２１の下面を支持するための直方体状を成す部材であり、断熱性が外方連結材１００の断熱性以上となる樹脂によって成形してある。図には明示していないが、この建具では、同一形状のセッティングブロック１２０が長手に沿った複数位置に配設してある。それぞれのセッティングブロック１２０は、パネル保持ヒレ部５２に設けた排水用孔（排水路）５２ａに対向し、かつ室外側に位置する部分がパネル保持ヒレ部５２に当接している。セッティングブロック１２０の室内側に位置する部分は、中間下枠部６０の外方係合ヒレ部６２にのみ載置された状態にある。それぞれのセッティングブロック１２０の下面には、見込み方向に沿って排水孔（排水路）１２１が形成してある。排水孔１２１は、セッティングブロック１２０の室内に臨む端面から室外に臨む端面までの間を貫通するように切り欠きを設けることによって構成してある。なお、図には明示していないが、セッティングブロック１２０の下面において外方連結材１００に対応する部位には、外方連結材１００との接触を避けるための凹部１２２が形成してある。
【００５７】
挿入材１３０は、上下に沿った寸法がセッティングブロック１２０よりもわずかに小さく、かつ見込み方向に沿った寸法がセッティングブロック１２０よりも大きな直方体状を成すもので、断熱性が外方連結材１００の断熱性以上となる樹脂によって成形してある。この挿入材１３０は、外方下枠部５０、外方連結材１００、中間下枠部６０、支持部材８０、左外方化粧材１１０Ｃ、固定障子用パネル２１及び後述するカバー部材１４０によって囲まれる空間１３１の容積を減少させるためのもので、複数のセッティングブロック１２０の相互間となる部位に配設してある。
【００５８】
カバー部材１４０は、脚部１４１と上面部１４２とが一体に成形されたものである。本実施の形態では、アルミニウム合金によって成形した押し出し形材から成るカバー部材１４０を適用している。
【００５９】
脚部１４１は、上下に沿って延在する板状の脚基板１４１ａと、脚基板１４１ａの下端よりもわずかに上方となる部位から室内側に向けて延在した脚支持板１４１ｂとを有したものである。脚基板１４１ａの上下に沿った寸法は、パネル保持ヒレ部５２よりも高くなるように設定してある。脚基板１４１ａの下端縁は、室外側に向けて屈曲している。脚基板１４１ａにおいて脚支持板１４１ｂよりも上方となる部位には、排水用開口１４１ｃが設けてある。排水用開口１４１ｃは、脚基板１４１ａを見込み方向に貫通するもので、図には明示していないが、長手に沿った複数位置に設けてある。それぞれの排水用開口１４１ｃには、排水弁１４３が装着してある。排水弁１４３は、室内側から室外側に向けてのみ水の通過を許容するものである。
【００６０】
上面部１４２は、脚基板１４１ａの上端部から室外側に向けて延在した中空の厚板状を成すものである。この上面部１４２は、脚部１４１に設けた脚支持板１４１ｂの延在端縁を中間下枠部６０の上方内係合ヒレ部６５に当接させた場合に、室外側に位置する部位が外方下枠部５０のパネル保持ヒレ部５２に当接することのできる寸法に構成してある。特に本実施の形態では、上面部１４２の上面１４２ａが水切りヒレ部５７の上面５７ａと同一の傾斜を有し、かつ水切りヒレ部５７の上面５７ａから上面部１４２の上面１４２ａが連続するようにそれぞれの寸法が設定してある。上面部１４２の室外側に位置する部分には、支持リブ１４２ｂ及び係合突起１４２ｃが設けてある。支持リブ１４２ｂは、パネル保持ヒレ部５２のカバー支持ヒレ部５６に当接する部分であり、上面部１４２の室外側に位置する部分の下縁から鉛直下方に向けて延在している。係合突起１４２ｃは、パネル保持ヒレ部５２のタイト材装着溝５５に係合することにより、上面部１４２の上方への移動を制限するものであり、上面部１４２の室外に臨む端面から室外に向けて突出している。図からも明らかなように、上面部１４２の下面１４２ｄは、セッティングブロック１２０の上面１２０ａ及び挿入材１３０の上面のいずれにも接触していない。
【００６１】
上述の構成を有するカバー部材１４０は、脚部１４１を介して本体部６１の上面６１ａに当接させ、かつ上面部１４２の室外側に位置する部分をパネル保持ヒレ部５２に係合させることによって、中間下枠部６０及び外方下枠部５０の間に配設されることになる。この状態においては、パネル保持ヒレ部５２から可動障子３０の下框３３に近接する部位までの間においてセッティングブロック１２０や挿入材１３０、外方連結材１００が覆われることになる。図５に示すように、本実施の形態では、支持部材８０の排水用切欠８２ａ、脚部１４１の排水弁１４３及びセッティングブロック１２０は、見込み方向において互いに対応する部位となるように互いに同一の数のものが同一のピッチで設けてある。
【００６２】
上記のように構成した建具では、室内側に配置される内方下枠部４０と室外側に配置される外方下枠部５０との間が離隔した状態で並設され、互いの間に断熱性を有した連結材９０，１００が介在されている。従って、内方下枠部４０に対する外気の影響を小さくすることができる。しかも、内方下枠部４０と外方下枠部５０との間に中間下枠部６０を設け、かつ中間下枠部６０と内方下枠部４０との間及び中間下枠部６０と外方下枠部５０との間にそれぞれ断熱性を有した内方連結材９０及び外方連結材１００を介在させるようにしている。従って、外観品質の向上を図るべく、レール部１７から室外側の固定障子２０までの間を左外方化粧材１１０Ｃによって覆った場合にも、室内側に配置される中間下枠部６０を左外方化粧材１１０Ｃに対向させることができる。従って、例えば室内の温度に対して室外の温度が低い場合にも、左外方化粧材１１０Ｃが外気の影響を受け難くなり、左外方化粧材１１０Ｃに結露が生じる事態を招来するおそれがない。特に本実施の形態では、外方下枠部５０、外方連結材１００、中間下枠部６０、支持部材８０、左外方化粧材１１０Ｃ、固定障子用パネル２１及び後述するカバー部材１４０によって囲まれる空間１３１に挿入材１３０を配設しているため、当該空間１３１内の対流を抑えることができるため、上述した断熱効果が顕著となる。
【００６３】
さらに、内方連結材９０と化粧材１１０Ｂ，１１０Ｃとの間には、内方連結材９０の上面に密接するように支持部材８０を配設するようにしている。従って、可動障子３０の室外に臨む表面に付着した雨水等の水が下枠１２に滴下した場合にも、この水が内方連結材９０に付着する事態を防止することができ、内方連結材９０が早期に劣化する事態を招来するおそれがない。加えて、支持部材８０において化粧材１１０Ｂ，１１０Ｃに接触する部分は、リブ部８２の先端部に限られるため、支持部材８０と化粧材１１０Ｂ，１１０Ｃとの間に水が浸入した場合にも化粧材１１０Ｂ，１１０Ｃの下面１１０ａ全面が濡れる事態を防止することができ、水の付着による化粧材１１０Ｂ，１１０Ｃの劣化を防止することができる。支持部材８０の上面に浸入した水は、ベース部８１の傾斜及びリブ部８２に設けた排水用切欠８２ａの作用により、滞留することなく室外側に案内され、さらに排水弁１４３及びセッティングブロック１２０の排水孔１２１を通じて早期に室外に排出されることになる。
【００６４】
なお、上述した実施の形態では、片引き窓を例示しているが、室外側の外方面材が可動するように構成した引き違い窓に適用することも可能である。
【符号の説明】
【００６５】
１  枠素材、２  内方連結壁部、３  外方連結壁部、４  内方注入溝、５  外方注入溝、６  発泡ポリウレタン、１０  枠体、１１  上枠、１２  下枠、１３，１４  縦枠、１５  方立枠、１７  下方レール部、２０  固定障子、２１  固定障子用パネル、３０  可動障子、４０  内方下枠部、４５ａ  内方係合受部、５０  外方下枠部、５２ａ  排水用孔、６０  中間下枠部、６８  外方係合受部、８０  支持部材、８１  ベース部、８１ａ  上面、８２  リブ部、８２ａ  排水用切欠、８３  外方係合部、８４  内方係合部、９０  内方連結材、１００  外方連結材、１１０  化粧材、１１０Ａ  内方化粧材、１１０Ｂ  右外方化粧材、１１０Ｃ  左外方化粧材、１２０  セッティングブロック、１２１  排水孔、１３０  挿入材、１３１  空間、１４０  カバー部材、１４１  脚部、１４１ｃ  排水用開口、１４２  上面部、１４３  排水弁
【図１】
2019143441.tif 000003
【図２】
2019143441.tif 000004
【図３】
2019143441.tif 000005
【図４】
2019143441.tif 000006
【図５】
2019143441.tif 000007
【図６】
2019143441.tif 000008
【図７】
2019143441.tif 000009
【図８】
2019143441.tif 000010
【図９】
2019143441.tif 000011
【手続補正書】
【提出日】平成30年10月30日(2018.10.30)
【手続補正１】
【補正対象書類名】明細書
【補正対象項目名】００２９
【補正方法】変更
【補正の内容】
【００２９】
【図１】本発明の実施の形態である建具を室内側から見た斜視図である。
【図２】図１に示した建具を可動面材側で破断した縦断面図である。
【図３】図１に示した建具を固定面材側で破断した縦断面図である。
【図４】図１に示した建具の横断面図である。
【図５】図１に示した建具の下枠を室外側から見た要部斜視図である。
【図６】図１に示した建具の下枠を室内側から見た要部斜視図である。
【図７】図１に示した建具の下枠を構成する要素を分解して示す図である。
【図８】図１に示した建具の下枠を構成する際に適用する枠素材の縦断面図である。
【図９】図１に示した建具の枠材を製造する手順を示したもので、（ａ）は枠素材の注入溝に液状の発泡ポリウレタンを注入した状態の要部縦断面図、（ｂ）は注入溝に注入した発泡ポリウレタンの発泡が完了する以前の時点で支持部材によって注入溝の開口を塞いだ状態の要部縦断面図、（ｃ）は発泡ポリウレタンが硬化した後、連結壁部を切除した状態の要部縦断面図である。